(57)【特許請求の範囲】
【請求項１】
基板片と押圧片とが、軸に軸支されたバネ材により一端側で圧接され、前記基板片又は押圧片のどちらか一方の片に切り欠き溝が形成されると共に、前記切り欠き溝に沿って移動可能なプラグインＳＩＭカード押し出し用部材が備えられ、更に、前記切り欠き溝が形成された片の先端部分に、他方の片と対向するように鉤状の凸部が形成されてなることを特徴とするプラグインＳＩＭカード用ホルダー。
【請求項２】
前記鉤状の凸部が形成された片と対向する片の先端付近が、傾斜状に形成されていることを特徴とする請求項１記載のプラグインＳＩＭカード用ホルダー。
【請求項３】
前記基板片または押圧片の一部に、紐状部材が連結された構成を有し、携帯電話用ストラップとして使用可能としたことを特徴とする請求項１記載のプラグインＳＩＭカード用ホルダー。
【発明の詳細な説明】
【０００１】
【発明の属する技術分野】
本発明は、携帯電話機に装着して用いるプラグインＳＩＭ（加入者識別モジュール）カードを、一時的に保管する為に使用するプラグインＳＩＭカード用ホルダーに関する。
【０００２】
【従来の技術】
従来、携帯電話機用プラグインＳＩＭ（加入者識別モジュール）カードは、携帯電話機に着脱可能に装着して、加入者情報等を送出するために使用されている。
これらのプラグインＳＩＭカードは、携帯電話機に装着させるために外形サイズも小さく形成されており、例えば外形の縦寸法が約１５ｍｍ、横寸法が約２５ｍｍ程度である。
【０００３】
これらのプラグインＳＩＭカードは、使用者の必要に応じて他のカードと入れ替えて使用する場合もあり、この場合には、既に携帯電話機に装着中のプラグインＳＩＭカードの他に、入れ替え用のプラグインＳＩＭカードを携帯電話機と共に持ち歩く必要もある。
【０００４】
この場合、プラグインＳＩＭカードのサイズは、一般的に日常使用されているクレジットカードやキャッシュカード等と比べて遥かに小型であるので、紛失しやすく、入れ替え用のプラグインＳＩＭカードを、カバンやハンドバックに入れて持ち歩いた場合でも、他の物を取り出す際にそれらの物に紛れて外部に落としたり、引っかかったりして外部に落とすなどして、いつの間にか紛失してしまうなどの危険性があるという問題がある。
また、プラグインＳＩＭカードの入れ替えにより、携帯電話機から取り出したプラグインＳＩＭカードについても、前記と同様に紛失したり、どこかに置き忘れたりするなどの危険性があるという問題がある。
【０００５】
また、プラグインＳＩＭカードのサイズが小さいため、手指でプラグインＳＩＭカードを摘まみながら、携帯電話機にプラグインＳＩＭカードを装着したり、取り外しを行なったりする際に、プラグインＳＩＭカードを落としたりする危険性があるという問題もある。
更に、プラグインＳＩＭカードを手指で摘まむことで、プラグインＳＩＭカードに余計な圧力が加わって故障の原因となったり、また手指等の汚れがその端子部分に付着することで故障の原因となる危険性もある。
【０００６】
【発明が解決しようとする課題】
本発明は、携帯電話に使用するためのプラグインＳＩＭカードの紛失や置き忘れの防止を図ると共に、手指でプラグインＳＩＭカードを摘むことなく装着や取り外しを行なえるようにしたプラグインＳＩＭカード用ホルダーを提供することを目的とする。
【０００７】
【課題を解決するための手段】
本発明のプラグインＳＩＭカード用ホルダーは、基板片と押圧片とが、軸に軸支されたバネ材により一端側で圧接され、前記基板片又は押圧片のどちらか一方の片に切り欠き溝が形成されると共に、前記切り欠き溝に沿って移動可能なプラグインＳＩＭカード押し出し用部材が備えられ、更に、前記切り欠き溝が形成された片の先端部分に、他方の片と対向するように鉤状の凸部が形成されてなることを特徴とする。
【０００８】
更に、本発明のプラグインＳＩＭカード用ホルダーは、前記鉤状の凸部が形成された片と対向する片の先端付近が、傾斜状に形成されていることを特徴とする。
【０００９】
また、本発明のプラグインＳＩＭカード用ホルダーは、前記基板片または押圧片の一部に、紐状部材が連結された構成を有し、携帯電話用ストラップとして使用可能としたことを特徴とする。
【００１０】
【発明の実施の形態】
以下、本発明の実施の形態を図面に基づいて詳細に説明する。
図１は、本発明の実施形態に係るプラグインＳＩＭカード用ホルダーの側面図、図２は、本発明の実施形態に係るプラグインＳＩＭカード用ホルダーの断面図、図３は、本発明の実施形態に係るプラグインＳＩＭカード用ホルダーでプラグインＳＩＭカードを保持させた場合を示した側面図、図４は、プラグインＳＩＭカードを保持させた本発明の実施形態に係るプラグインＳＩＭカード用ホルダーから、プラグインＳＩＭカードを押し出している状態を示した側面図、図５は、本発明の実施形態に係るプラグインＳＩＭカード用ホルダーの平面図、図６は、プラグインＳＩＭカードを保持させた本発明の実施形態に係るプラグインＳＩＭカード用ホルダーから、プラグインＳＩＭカードを携帯電話に装着する場合を説明する図、図７は、本発明の実施形態に係るプラグインＳＩＭカード用ホルダーを携帯電話用ストラップとして使用可能にした構成を示した斜視図、図８は、携帯電話用ストラップとして使用可能にした本発明の実施形態に係るプラグインＳＩＭカード用ホルダーを携帯電話に取り付けた状態を示した図である。
【００１１】
本発明の実施形態に係るプラグインＳＩＭカード用ホルダー１は、図１及び図２に示すように、基板片２と押圧片３とが、軸４に軸支されたバネ材５により、その基板片２と押圧片３の一方側の先端付近（図示の左側の部分）で圧接された状態を保っている。
したがって、他方の先端付近（図示の右側の部分）における基板片２と押圧片３を２本の指により挟み込んで、軸４に軸支されたバネ材５の圧力に逆らって内側に力を入れることで、圧接された状態を保っていた基板片２と押圧片３に隙間を開けることができる。
【００１２】
また、前記基板片２の略中央付近には、図５に示すように横方向に略矩形状の切り欠き溝６が形成されており、この切り欠き溝６には、切り欠き溝６に沿って横方向に移動可能に備えられたプラグインＳＩＭカード押し出し用部材７が設けられている。
【００１３】
このプラグインＳＩＭカード押し出し用部材７は、指で触れる部分７ａとプラグインＳＩＭカードに接触してこれを押し出す部分７ｂとが接着剤などで一体化されており、切り欠き溝６の間を移動する部分よりもその上下部分の方が幅広く形成されている。
これにより、プラグインＳＩＭカード押し出し用部材７は、常に基板片２に形成された切り欠き溝６から外れないようにしてある。
【００１４】
プラグインＳＩＭカード押し出し用部材７におけるプラグインＳＩＭカードに接触してこれを押し出す部分７ｂは、図５に示すように切り欠き溝６よりも幅広く形成されていて、 プラグインＳＩＭカードを確実に押し出すことができるようにしてある。
【００１５】
更に、切り欠き溝が形成されている基板片２の先端部分には、他方の片である押圧片３と対向するように、鉤状の凸部８が形成され、鉤状の凸部８の先端が押圧片３と接触している。
また、押圧片３の先端部分は、傾斜状に形成された傾斜部９を有し、この傾斜部９の一部と鉤状の凸部８の先端部とが接触して、圧接された状態を保っている。
【００１６】
尚、プラグインＳＩＭカード押し出し用部材７を設けるための切り欠き溝６と、鉤状の凸部８を形成する片は、必ずしも基板片２でなくてもよく、これを押圧片３に設けてもよい。
但し、押圧片３にこれらを設けた場合には、傾斜部９を形成するのは基板片２の先端付近に設ける。
【００１７】
基板片２及び押圧片３は、プラスチックを用いるのが好ましいが、これに限定されるものではなく、簡単に曲がったり、折れたり、切れたりすることのない種々の材料を使用することができる。
【００１８】
次に、本発明のプラグインＳＩＭカード用ホルダーの使用手順について説明する。
まず、図１の状態のプラグインＳＩＭカード用ホルダー１において、基板片２と押圧片３の図示の右側の先端部分を２本の指で挟み込んで、軸４に軸支されたバネ材５の圧力に逆らって内側に力を入れ、圧接された状態を保っていた図示の基板片２及び押圧片３の左側の先端付近に隙間を開けることで、この隙間からプラグインＳＩＭカード１０を挿入し、図３に示すように基板片２と押圧片３の間に挟み込んだ状態でセットする。
【００１９】
そして、プラグインＳＩＭカード１０を基板片２及び押圧片３の隙間から挿入する際には、プラグインＳＩＭカード１０を摘まずに、プラグインＳＩＭカード１０の一端側からプラグインＳＩＭカード用ホルダー１の押圧片３の傾斜部９の先端を押し当てて、プラグインＳＩＭカード１１をスライドさせながら基板片２及び押圧片３の間に移動させていくことで、プラグインＳＩＭカード１１を手指で摘むことなくセットすることができる。
この状態で、交換用のプラグインＳＩＭカードをプラグインＳＩＭカード用ホルダー１に保持し、携帯電話機１１と共にバック等に入れて所持する。
【００２０】
そして、図６に示すように、携帯電話機１１に既に装着されているプラグインＳＩＭカード１１がある場合には、まず装着されているプラグインＳＩＭカード１１の一側端部に、プラグインＳＩＭカード用ホルダー１の押圧片３の傾斜部９の先端を押し当てて、プラグインＳＩＭカード１１をめくるようにして取り外す。
この場合、プラグインＳＩＭカード１１が下に落ちて紛失するのをふせぐために机などの上で行なうことが好ましい。
【００２１】
次に、プラグインＳＩＭカード用ホルダー１の押圧片３の傾斜部９の先端を、携帯電話機１２のプラグインＳＩＭカードの装着部１３に位置させた後、図６に示すように、基板片２と押圧片３の図示の右側の先端部分を開かせながら、プラグインＳＩＭカード押し出し用部材７を切り欠き溝６に沿って、前方に移動させることで、プラグインＳＩＭカード用ホルダー１が保持させていたプラグインＳＩＭカード１０を、携帯電話機１２の装着部１３に移し替える。
完全にプラグインＳＩＭカード１０が、携帯電話機１２の装着部１３に移動させた後、携帯電話機１２の装着部１３のカバー（図示せず）など行ない、装着を終了する。
【００２２】
また、携帯電話機１２の装着部１３から取り外したプラグインＳＩＭカード１１は、プラグインＳＩＭカード用ホルダー１の基板片２と押圧片３の間に保管させて所持し、また必要に応じて入れ替えを行なう。
これらの処理は、基板片２及び押圧片３の先端部分に形成されている鉤状の凸部８及び傾斜部９とにより、プラグインＳＩＭカードに直接手指を触れることなく行なうことができるようにしてある。
【００２３】
更に、本発明のプラグインＳＩＭカード用ホルダー１は、基板片２または押圧片３の一部に、紐状部材１４を連結させた構成とすることで、携帯電話用ストラップ１５として使用できるようにしてある。
図７には、一実施形態として、基板片２の一部に孔部１６が形成され、この孔部１６に紐状部材１４を通して連結させた状態からなる携帯電話用ストラップ１５が示されている。
【００２４】
更に、図８には、携帯電話用ストラップ１５の紐状部材１４の他端部を、携帯電話機１２の所定部分と連結させることで、常にプラグインＳＩＭカード用ホルダー１が携帯電話機１２と一緒に所持され、プラグインＳＩＭカードの装着や取り外しを行なう時でも直ぐにこれらの処理が行なえるようにしてある。
したがって、プラグインＳＩＭカードだけを紛失することがなく、プラグインＳＩＭカードの装着や取り外しの際にも、プラグインＳＩＭカードに手指を触れることなく行なえるので、プラグインＳＩＭカードを手指で汚す危険性もない。
【００２５】
尚、紐状部材１４は、通常使用されている公知の仕様のものを用いればよく、プラグインＳＩＭカード用ホルダー１と携帯電話機１２とを連結できる仕様のものであれば種々の仕様のものを用いることができ、図示した一実施形態に限定されるものではない。
【００２６】
【発明の効果】
以上説明したように、本発明のプラグインＳＩＭカード用ホルダーは、携帯電話に使用するためのプラグインＳＩＭカードの紛失や置き忘れの防止を図ることができ、更に、手指でプラグインＳＩＭカードを摘むことがないので、プラグインＳＩＭカードを携帯電話に装着したり、取り外しを行なう場合でも、プラグインＳＩＭカードを汚す危険性が少なく、汚れによる故障を回避することができるという効果がある。
【００２７】
更に、基板片と押圧片の先端部分に、鉤状の凸部と、これに対向する片の先端付近に傾斜部を形成させたので、プラグインＳＩＭカードの保持や装着そして保管などの操作を簡単に行なうことができるという効果がある。
また、プラグインＳＩＭカード用ホルダーに紐状部材を連結させ、携帯電話用ストラップとして使用可能できるので、常にプラグインＳＩＭカードを携帯電話機と離さずに所持することができ、紛失する危険性がないという効果がある。
【図面の簡単な説明】
【図１】本発明の実施形態に係るプラグインＳＩＭカード用ホルダーの側面図である。
【図２】本発明の実施形態に係るプラグインＳＩＭカード用ホルダーの断面図である。
【図３】本発明の実施形態に係るプラグインＳＩＭカード用ホルダーでプラグインＳＩＭカードを保持させた場合を示した側面図である。
【図４】プラグインＳＩＭカードを保持させた本発明の実施形態に係るプラグインＳＩＭカード用ホルダーから、プラグインＳＩＭカードを押し出している状態を示した側面図である。
【図５】本発明の実施形態に係るプラグインＳＩＭカード用ホルダーの平面図である。
【図６】プラグインＳＩＭカードを保持させた本発明の実施形態に係るプラグインＳＩＭカード用ホルダーから、プラグインＳＩＭカードを携帯電話に装着する場合を説明する図である。
【図７】本発明の実施形態に係るプラグインＳＩＭカード用ホルダーを携帯電話用ストラップとして使用可能にした構成を示した斜視図である。
【図８】携帯電話用ストラップとして使用可能にした本発明の実施形態に係るプラグインＳＩＭカード用ホルダーを携帯電話に取り付けた状態を示した図である。
【符号の説明】
１  プラグインＳＩＭカード用ホルダー
２  基板片
３  押圧片
４  軸
５  バネ材
６  切り欠き溝
７  プラグインＳＩＭカード押し出し用部材
７ａ  指で触れる部分
７ｂ  プラグインＳＩＭカードに接触してこれを押し出す部分
８  鉤状の凸部
９  傾斜部
１０，１１  プラグインＳＩＭカード
１２  携帯電話機
１３  プラグインＳＩＭカードの装着部
１４  紐状部材
１５  携帯電話用ストラップ
１６  孔部
【図１】
0004697918.tif 000002
【図２】
0004697918.tif 000003
【図３】
0004697918.tif 000004
【図４】
0004697918.tif 000005
【図５】
0004697918.tif 000006
【図６】
0004697918.tif 000007
【図７】
0004697918.tif 000008
【図８】
0004697918.tif 000009